(57)【要約】【課題】  着用感に優れるとともに運動時等においても吸液パッドを身体に密着させて、動きに良好に追随させることができるボトム衣類を提供する。【解決手段】  ボトム本体部１１０と、前側裏マチ部材１２１と後側裏マチ部材１２２とからなる裏マチ部材１２０とを含み、前側裏マチ部材は、マチ部材１１３の内面側に配置され、後側裏マチ部材は、その前端部が前側裏マチ部材の後端部と接合され、その後端部は後身頃部材１１２の上端部まで延在し、裏マチ部材前端部はマチ部材と前身頃部材１１１との連結位置でボトム本体部に接合され、裏マチ部材後端部は後身頃部材の上端部でボトム本体部と接合され、さらに、マチ部材の後端部でボトム本体部と前側裏マチ部材とが左右端部で接合され、かつ、接合部以外の裏マチ部材の左右端部はボトム本体部と接合されずに遊離しており、部材の前後方向の伸び率が、前側裏マチ部材Ｌ１＜後側裏マチ部材Ｌ２の関係にあるボトム衣類。【選択図】  図１
2019085659.tif 000002
【特許請求の範囲】
【請求項１】
ボトム衣類であって、
前身頃部材、後身頃部材およびマチ部材を有するボトム本体部と、裏マチ部材とを含み、
前記裏マチ部材は、前側裏マチ部材と後側裏マチ部材とからなり、
前記前側裏マチ部材は、前記マチ部材に対応する部分の前記ボトム本体部の内面側に配置され、
前記後側裏マチ部材は、その前端部が前記前側裏マチ部材の後端部と接合されており、その後端部は前記後身頃部材の上端部まで延在しており、
前記裏マチ部材の前端部は、前記マチ部材と前記前身頃部材との連結位置で前記ボトム本体部に接合され、
前記裏マチ部材の後端部は、前記後身頃部材の上端部で前記ボトム本体部と接合され、
さらに、前記マチ部材の後端部において、前記ボトム本体部と前記前側裏マチ部材とが左右端部で接合されており、かつ、前記マチ部材の後端部における前記接合部以外の前記裏マチ部材の左右端部は前記ボトム本体部と接合されずに遊離しており、
前記前側裏マチ部材の前後方向の伸び率Ｌ１および前記後側裏マチ部材の前後方向の伸び率Ｌ２が、Ｌ１＜Ｌ２の関係にあることを特徴とするボトム衣類。
【請求項２】
前記前側裏マチ部材と前記後側裏マチ部材との接合部において、前記前側裏マチ部材の幅よりも前記後側裏マチ部材の幅が狭くなっていることを特徴とする、請求項１記載のボトム衣類。
【請求項３】
前記裏マチ部材の後端部は、その中央部を除く部分で前記後身頃部材の上端部と接合されていることを特徴とする、請求項１または２記載のボトム衣類。
【請求項４】
生理用ショーツであることを特徴とする、請求項１から３のいずれか一項に記載のボトム衣類。
【発明の詳細な説明】
【技術分野】
【０００１】
本発明は、ボトム衣類に関する。
【背景技術】
【０００２】
生理時等に吸液パッドを装着して着用するショーツ等のボトム衣類が、種々提案されている。通常、生理用ショーツは、吸液パッドに予め貼着されている粘着テープで、吸液パッドを生理用ショーツのマチ部（クロッチ部）内面に貼着させて用いる。生理用ショーツは、前記吸液パッドがずれるなどして経血が漏れた場合に備え、一般的には防水布をマチ部付近に設けて、外部に漏れの影響が及ばないように設計されている。しかしながら、吸液パッドを粘着テープを介してマチ部の布または防水布に直接に固定しているだけである場合、衣類のマチ部が身体の股部からずれると、吸液パッドも身体の股部からずれることとなる。特に、就寝時の寝返りや運動時には、身体の動きで身体と衣類のマチ部とが離れた状態となりやすいため、吸液パッドも身体の股部からずれて隙間が生じ、この隙間からの漏れが生じやすくなるという問題がある。また、臀裂での密着性も十分ではなかった。そこで、ショーツのクロッチ部を身体の股下面に密着させて、生理用ナプキンのずれ動きを防止することを目的として、パワーネットを、後身頃部分ではシャーリングを施し、クロッチ部では生地から浮かせるようにしてショーツ本体に縫着したもの等が提案されている（例えば、特許文献１参照）。また、外面側に引き上げ部材を設けることで、吸収パッドを安定的にフィットさせようとしたショーツも提案されている（例えば、特許文献２参照）。
【先行技術文献】
【特許文献】
【０００３】
【特許文献１】実用新案登録第３１０３１８０号公報
【特許文献２】特開２０１０−１０４７２７号公報
【発明の概要】
【発明が解決しようとする課題】
【０００４】
しかし、前記従来の技術によっても、着用時の衣類の食い込みや締付感は増すものの、吸液パッドの身体への密着性や、身体への追随性は十分とはいえなかった。そこで、本発明は、着用感に優れるとともに運動時等においても吸液パッドを身体、特に股部および臀裂に密着させて、動きに良好に追随させることができるボトム衣類を提供することを目的とする。
【課題を解決するための手段】
【０００５】
前記目的を達成するために、本発明のボトム衣類は、
前身頃部材、後身頃部材およびマチ部材を有するボトム本体部と、裏マチ部材とを含み、
前記裏マチ部材は、前側裏マチ部材と後側裏マチ部材とからなり、
前記前側裏マチ部材は、前記マチ部材に対応する部分の前記ボトム本体部の内面側に配置され、
前記後側裏マチ部材は、その前端部が前記前側裏マチ部材の後端部と接合されており、その後端部は前記後身頃部材の上端部まで延在しており、
前記裏マチ部材の前端部は、前記マチ部材と前記前身頃部材との連結位置で前記ボトム本体部に接合され、
前記裏マチ部材の後端部は、前記後身頃部材の上端部で前記ボトム本体部と接合され、
さらに、前記マチ部材の後端部において、前記ボトム本体部と前記前側裏マチ部材とが左右端部で接合されており、かつ、前記マチ部材の後端部における前記接合部以外の前記裏マチ部材の左右端部は前記ボトム本体部と接合されずに遊離しており、
前記前側裏マチ部材の前後方向の伸び率Ｌ１および前記後側裏マチ部材の前後方向の伸び率Ｌ２が、Ｌ１＜Ｌ２の関係にあることを特徴とする。
【発明の効果】
【０００６】
本発明によれば、着用感に優れるとともに運動時等においても吸液パッドを身体、特に股部および臀裂に密着させて、動きに良好に追随させることができるボトム衣類を提供することができる。
【図面の簡単な説明】
【０００７】
【図１】図１（Ａ）は、本発明の第１の実施形態に係るショーツ１００を裏返し（中表）にして平置きにした状態の図であり、図１（Ａ）は、ショーツ１００の背面図、図１（Ｂ）は、ショーツ１００の前面図である。
【図２】図２は、前記第１の実施形態に係るショーツの裏マチ部材を示す平面図である。
【図３】図３は、接合部を説明する図であり、前記第１の実施形態に係るショーツ１００を裏返し（中表）にして平置きにした状態の背面図である。
【発明を実施するための形態】
【０００８】
本発明のボトム衣類において、前記前側裏マチ部材と前記後側裏マチ部材との接合部において、前記前側裏マチ部材の幅よりも前記後側裏マチ部材の幅が狭くなっていることが好ましい。
【０００９】
本発明のボトム衣類において、前記裏マチ部材の後端部は、その中央部を除く部分で前記後身頃部材の上端部と接合されていることが好ましい。
【００１０】
本発明のボトム衣類は、生理用ショーツであることが好ましい。
【００１１】
本発明のボトム衣類について、例をあげて説明する。ただし、本発明は、以下の例に限定および制限されない。なお、以下で参照する図面は、模式的に記載されたものであり、図面に描画された物体の寸法の比率などは、現実の物体の寸法の比率などとは異なる場合がある。図面相互間においても、物体の寸法比率等が異なる場合がある。
【００１２】
以下、「前」「後」とは、着用時において、前身頃側を前、後身頃側を後とした場合の前後方向をいう。また、「左」「右」とは、前側から見た左右でも、後側から見た左右でもよい。
【００１３】
（第１の実施形態）
図１に、本発明のボトム衣類の第１の実施形態に係るショーツ１００を示す。図１はショーツ１００を裏返し（中表）にして平置きにした状態の図であり、図１（Ａ）は、ショーツ１００の背面図、図１（Ｂ）は、ショーツ１００の前面図である。
【００１４】
ショーツ１００は、ボトム本体部１１０および裏マチ部材１２０を有している。ボトム本体部１１０は、前身頃部材１１１、後身頃部材１１２、マチ部材１１３、ウエストテープ１１４から構成される。裏マチ部材１２０は、ボトム本体部１１０に重なるようにショーツ１００の内面側に設けられている。したがって、図１（Ａ）においては、裏マチ部材１２０で隠れている部分にも後身頃部材１１２およびマチ部材１１３は存在している。
【００１５】
図２は、裏マチ部材１２０を示す平面図である。裏マチ部材１２０は、前側裏マチ部材１２１と後側裏マチ部材１２２とからなる。後側裏マチ部材１２２は、その前端部が前側裏マチ部材１２１の後端部と、接合部Ｐで接合されている。裏マチ部材１２０は、ボトム本体部１１０の内面側に、前側裏マチ部材１２１がマチ部材１１３に対応する部分に配置され、後側裏マチ部材１２２が後身頃部材１１２側となるように配置される。
【００１６】
本発明においては、部材の前後方向の伸び率（伸長性）が、所定の関係を満たしている。すなわち、前側裏マチ部材１２１の前後方向の伸び率をＬ１、および後側裏マチ部材１２２の前後方向の伸び率をＬ２としたとき、Ｌ１＜Ｌ２の関係にあることが必要である。
【００１７】
ここで、伸び率は、次の方法で測定される値である。１６０ｍｍ×２５ｍｍの試験片を、つかみ間隔１００ｍｍとして定速伸長形引張試験機に取り付け、３００ｍｍ±２０ｍｍ／ｍｉｎの速度で、２２．１Ｎ（２．２５ｋｇｆ）の荷重をかけ、荷重９．８Ｎ（１．００ｋｇｆ）、１４．７Ｎ（１．５０ｋｇｆ）、２２．１Ｎ（２．２５ｋｇｆ）の伸び率（％）を測定し、荷重９．８Ｎ（１．００ｋｇｆ）の伸び率で比較してＬ１＜Ｌ２となるようにする。
【００１８】
前側裏マチ部材１２１は、その表面に生理用ナプキン等の吸液パッドを貼着して用いる。吸液パッドを安定して固定させるために、前側裏マチ部材１２１は、前後方向の伸びを小さくする必要がある。後側裏マチ部材１２２は、その前後方向の伸び率Ｌ２を前側裏マチ部材１２１の伸び率Ｌ１よりも高くすることで、身体の動きへの追随性を高めつつ、臀裂部周辺の形状に沿わせることができる。
【００１９】
また、後側裏マチ部材１２２と後身頃部材１１２について、後側裏マチ部材１２２の伸長回復力は後身頃部材１１２の伸長回復力よりも大きいことが好ましい。後側裏マチ部材１２２は、前側裏マチ部材１２１を引っ張り、肌にフィットさせる部材であるが、後身頃部材１１２の伸長回復力の方が大きい場合、着用時に臀裂への食い込みが発生やすくなり、着用感や外観が悪くなるおそれがある。
【００２０】
前側裏マチ部材１２１とマチ部材１１３の前後方向の長さは、前側裏マチ部材１２１の方が短い方が好ましい。また、後側裏マチ部材１２２の前後方向の長さは、対応する後身頃部材１１２の長さ（マチ部材１１３の後端部から後身頃部材１１２の上端部までの長さ）よりも短い方が好ましい。このような構成とすることで、裏マチ部材１２０をボトム本体部１１０から浮かせた状態とすることができ、着用時に裏マチ部材１２０をより身体に密着させることができる。
【００２１】
本実施形態において、前身頃部材１１１および後身頃部材１１２の各部材に使用できる素材（生地）は、特に制限されないが、例えば、編み物があげられる。さらに好ましくは、ポリウレタン等の弾性糸を含有する伸縮性を有する生地があげられる。マチ部材１１３は、ボトム本体部を構成する他の部材に使用する素材と同じものを用いることもできるし、別の素材を用いることもできるが、前身頃部材と比べ、前後方向に伸び率（伸長性）が高いことがより好ましい。
【００２２】
前側裏マチ部材１２１に使用する素材は、後側裏マチ部材１２２および後身頃部材１１２よりも低伸縮であればよく、例えば、パワーネット、トリコット等が挙げられる。前側裏マチ部材１２１として、防水布を用いることもできる。防水布を用いることで、漏れに対してより安心感を得ることができる。また、例えば、パワーネットの内面側に防水布を設けたような二重構造としてもよい。
【００２３】
接合部Ｐでの前側裏マチ部材１２１と後側裏マチ部材１２２との接合は、縫着、接着等の任意の手段を用いることができる。また、前側裏マチ部材１２１と後側裏マチ部材１２２とは、別部材の接合に限定されず、単一部材で接合部Ｐに相当する位置を境にして物性が切り替わるようにしてもよい。例えば、裏マチ部材１２０として、ボトム本体部１１０と同じ素材を用意し、前側裏マチ部材１２１に相当する部分にのみ、防水布やパワーネット等の別部材を重ね合わせるといった手段を採ることもできる。このように、裏マチ部材１２０に切替を設けて、異素材を用いることで、密着性の向上に加えて、後身頃部側（背中側）での着用感を向上させることができる。ここで、着用感とは、例えば、肌触りが良い、ごわつきがない、フィット感がある等を指す。
【００２４】
図２に示すように、前側裏マチ部材１２１と後側裏マチ部材１２２との接合部Ｐにおいては、前側裏マチ部材１２１の幅よりも後側裏マチ部材１２２の幅が狭くなっていることが好ましい。当該位置において、後側裏マチ部材１２２の幅を前側裏マチ部材１２１の幅よりも狭くすることで、臀裂部に後側裏マチ部材１２２が沿いやすくなり、また、着用時に裏マチ部材１２０にシワが発生しにくくなり、好ましい。
【００２５】
裏マチ部材１２０は、その後端部は後身頃部材１１２の上端部まで延在している。図２において斜線を付した領域が、裏マチ部材１２０がボトム本体部１１０と接合する箇所である。裏マチ部材１２０の前端部は、マチ部材１１３と前身頃部材１１１との連結位置でボトム本体部１１０に接合され（接合部Ｓ１）、裏マチ部材１２０の後端部は、後身頃部材１１２の上端部でボトム本体部１１０と接合されている（接合部Ｓ２）。同図に示すように、さらに、マチ部材１１３の後端部において、ボトム本体部１１０と前側裏マチ部材１２１とが左右端部で接合されている（接合部Ｓ３）。その他の箇所では、裏マチ部材１２０はボトム本体部１１０とは接合されておらず、マチ部材１１３の後端部における前記接合部以外の裏マチ部材１２０の左右端部はボトム本体部１１０から遊離している。
【００２６】
このように、裏マチ部材１２０を、マチ部材１１３の前側端部から後身頃部材１１２の上端部（着用時におけるウエスト部分）まで続くハンモック型の態様とすることで、着用時には裏マチ部材１２０自体が引き上がるため、臀裂まで吸液パッドが肌に密着して、吸液パッドのずれを防止することができる。前側裏マチ部材１２１と後側裏マチ部材１２２との接合部Ｐは、ボトム本体部１１０に対して可動であることが、本発明の特徴の一つであり、これによって吸液パッドが身体の動きによってもずれにくくなる。接合部Ｓ３は、図中の上下方向に１０ｍｍ〜３０ｍｍ程度、より好ましくは１５ｍｍ〜２５ｍｍ程度の長さをとったタテ留めで縫着することが好ましい。前記範囲でのタテ留めとすると、接合部Ｐのボトム本体部１１０に対する前後方向の自由度をある程度保ちつつ、左右のずれを防止できるため好ましい。また、裏マチ部材１２０は、異方性のある素材を用いる場合には、前後方向に伸びが良くなる（伸長性が高くなる）ように素材を配置することが好ましい。
【００２７】
さらにまた、図２では、後側裏マチ部材１２２の後端部は、２つに分岐している。後側裏マチ部材１２２は、これらの分岐の先端部分（接合部Ｓ２）でボトム本体部１１０に接合されている。後側裏マチ部材１２２の中央部を除く部分（接合部Ｓ２）で接合させることにより、後端部全体でボトム本体部に接合する場合と比べて、着用時の動きに好適に追随させることができ、後ウエスト部分の引っ張られ感を軽減することができるため、好ましい。ここで、後側裏マチ部材１２２の後端部は２つに分岐する態様に限定されるものではなく、中央部分が接合されていなければ上記の好ましい効果が得られる。したがって、例えば、後端部が分岐のない形状である後側裏マチ部材１２２を用いて、単に中央部分を接合しない態様でもよい。
【００２８】
後身頃部材１１２の上端部（着用時におけるウエスト部分）における裏マチ部材１２０（後側裏マチ部材１２２）との接合部（接合部Ｓ２）の幅Ｗは、平置き状態での衣類上端部の幅Ｗ０の１／５〜１／３の長さであることが好ましい。図３は、前記接合部の幅を説明する図である。例えば、標準サイズにおいて、幅Ｗは、Ｓサイズでは８．５ｃｍ、Ｍサイズでは９ｃｍ、Ｌサイズでは９．４ｃｍ程度とすることができる。幅Ｗが広すぎると臀裂への密着性や追従が不十分となりやすく、狭すぎると臀裂に裏マチ部材１２０が食い込みやすくなるおそれがある。なお、発明者らは、前記の幅の規定は、本実施形態の形状のボトム衣類に限られず、ローライズタイプのボトム衣類についても適用可能であることを確認した。
【００２９】
以上、実施の形態の具体例として、ショーツの一例をあげて本発明を説明したが、本発明のボトム衣類は、これらの具体例で記載されたもののみに限定されるものではなく、種々の態様が可能である。例えば、上記の実施形態のようなショーツ以外にも、ローライズタイプ、ボーイレングスショーツ、ロングショーツ等の形状のボトム衣類に適用することができる。また、本発明は、生理用ショーツのみでなく、失禁用ショーツ、産褥用ショーツ、医療用ショーツ等の用途に用いることができ、ガードル、ボディースーツ等のファンデーション衣類や、スポーツ衣類など、その他各種の衣類に適用できる。
【符号の説明】
【００３０】
１００  ショーツ（ボトム衣類）
１１０  ボトム本体部
１１１  前身頃部材
１１２  後身頃部材
１１３  マチ部材
１１４  ウエストテープ
１２０  裏マチ部材
１２１  前側裏マチ部材
１２２  後側裏マチ部材
【図１】
2019085659.tif 000003
【図２】
2019085659.tif 000004
【図３】
2019085659.tif 000005